(57)【要約】【課題】ブーツや長靴を含む靴を、簡単に引っ掛けて持ち上げることができ、吊して適切に保持することができる靴用ハンガーを提供する。【解決手段】先端に向って開いた形態となるように鋭角なＶ字状に配された状態の左右一組の長尺柄部１０、１０を備え、左右一組の長尺柄部１０、１０の各先端の部分に、どちらも前方へ鋭角状に屈曲した形成に形成され、靴の内側のつま先側へ進入して該靴を引っ掛けて持ち上げることができるように先端掛け部２０が設けられ、左右一組の長尺柄部１０、１０の根元部３０が、一体的に連続して支点となるように形成され、左右一組の長尺柄部１０、１０の左右に開く角度が根元部３０を構成する部材の弾性によって所要の範囲で変化できるように設けられると共に、吊り下げ用のフック部５０が根元部３０の上側に連結されて設けられている。【選択図】図１
2018033475.tif 000002
【特許請求の範囲】
【請求項１】
先端に向って開いた形態となるように鋭角なＶ字状に配された状態の左右一組の長尺柄部を備え、
該左右一組の長尺柄部の各先端の部分に、どちらも前方へ鋭角状に屈曲した形成に形成され、靴の内側のつま先側へ進入して該靴を引っ掛けて持ち上げることができるように先端掛け部が設けられ、
前記左右一組の長尺柄部の根元部が、一体的に連続して支点となるように形成され、該左右一組の長尺柄部の左右に開く角度が該根元部を構成する部材の弾性によって所要の範囲で変化できるように設けられると共に、
吊り下げ用のフック部が前記根元部の上側に連結されて設けられていることを特徴とする靴用ハンガー。
【請求項２】
前記フック部が、前記左右一組の長尺柄部の前記根元部に回動可能に軸着されていることを特徴とする請求項１記載の靴用ハンガー。
【請求項３】
前記左右一組の長尺柄部、前記各先端掛け部、及び前記根元部が一体に成型されて設けられていることを特徴とする請求項１又は２記載の靴用ハンガー。
【発明の詳細な説明】
【技術分野】
【０００１】
この発明は、左右一組の靴を吊り下げることができる靴用ハンガーに関する。
【０００２】
従来の靴用ハンガーとしては、例えば、吊り下げられた際に水平に延びるように位置する水平棒体の左右に、靴を掛けるための突起部を、それぞれ斜め上方で相互に別方向へ向って突起させた状態に設け、前記水平棒体の中央部から上方へ延びるように設けられた中心棒体の上部に物干し竿に掛けるためのフック部が設けられているものが提案されている（特許文献１参照）。
【０００３】
この従来例の靴用ハンガーによれば、一足分である左右一組の靴を、一つのハンガーで同時に吊して保持できるため、スペースを有効に使って適切に収納することが可能になる。
【０００４】
しかしながら、このような形態の靴用ハンガーは、洋服のハンガーに近似する形態であり、その使用においては、使用者が靴を手で持ち上げて突起部に掛ける手順が必須となる。すなわち、中心棒体が一本で比較的短いなどのため、その靴用ハンガー自体の操作で、靴を引っ掛けて保持するような動作は行いにくい。また、ブーツや長靴などの長い靴を吊り下げることも難しい形態になっている。
【先行技術文献】
【特許文献】
【０００５】
【特許文献１】特開２００９−２８４８４号公報（図１〜３）
【発明の概要】
【発明が解決しようとする課題】
【０００６】
靴用ハンガーに関して解決しようとする問題点は、従来の洋服のハンガーに近似する形態では、使用者が靴を持ち上げて掛ける動作が必須となり、腰を深く曲げる動作が必要で、且つ靴を直接把持することを要することにある。
【０００７】
そこで本発明の目的は、ブーツや長靴を含む靴を、簡単に引っ掛けて持ち上げることができ、吊して適切に保持することができる靴用ハンガーを提供することにある。
【課題を解決するための手段】
【０００８】
本発明は、上記目的を達成するために次の構成を備える。
本発明にかかる靴用ハンガーの一形態によれば、先端に向って開いた形態となるように鋭角なＶ字状に配された状態の左右一組の長尺柄部を備え、該左右一組の長尺柄部の各先端の部分に、どちらも前方へ鋭角状に屈曲した形成に形成され、靴の内側のつま先側へ進入して該靴を引っ掛けて持ち上げることができるように先端掛け部が設けられ、前記左右一組の長尺柄部の根元部が、一体的に連続して支点となるように形成され、該左右一組の長尺柄部の左右に開く角度が該根元部を構成する部材の弾性によって所要の範囲で変化できるように設けられると共に、吊り下げ用のフック部が前記根元部の上側に連結されて設けられている。
【０００９】
本発明にかかる靴用ハンガーの一形態によれば、前記フック部が、前記左右一組の長尺柄部の前記根元部に回動可能に軸着されていることを特徴とすることができる。
【００１０】
本発明にかかる靴用ハンガーの一形態によれば、前記左右一組の長尺柄部、前記各先端掛け部、及び前記根元部が一体に成型されて設けられていることを特徴とすることができる。
【発明の効果】
【００１１】
本発明の靴用ハンガーによれば、ブーツや長靴を含む靴を、簡単に引っ掛けて持ち上げることができ、吊して適切に保持することができるという特別有利な効果を奏する。
【図面の簡単な説明】
【００１２】
【図１】本発明に係る靴用ハンガーの形態例を示す斜視図である。
【図２】図１の形態例の使用状況を示す斜視図である。
【発明を実施するための形態】
【００１３】
以下、本発明に係る靴用ハンガーの形態例を、添付図面（図１、２）に基づいて詳細に説明する。この靴用ハンガーは、先端に向って開いた形態となるように鋭角なＶ字状に配された状態の左右一組の長尺柄部１０、１０を備える。本形態例の長尺柄部１０は、先端側がブーツや長靴の内部に挿入されても、使用者が把持できる部分が上部の側に十分に確保されるように、そのブーツや長靴の長さよりも、少なくとも使用者が把持できる長さ分について長く設けられている。
【００１４】
その左右一組の長尺柄部１０、１０の各先端の部分に、どちらも前方の同一方向へ鋭角状に屈曲した形状に形成され、靴の内側のつま先側へ進入してその靴を引っ掛けて持ち上げることができるように先端掛け部２０が設けられている（図２参照）。すなわち、鋭角状に屈曲した形状であるため、先端が斜め上方へ向けて突き出た状態に傾斜した形態となっている。なお、本形態例の先端掛け部２０は、靴べら状になっている。また、この先端掛け部２０について、その先端部が靴の内側の形状に沿って弾性変形してその内側の形状に馴染んだ状態で当接できるように、少なくともその先端部を適度の弾性を有するように形成することで、荷重を分散して靴を適切に保持できる。
【００１５】
また、左右一組の長尺柄部１０、１０の根元部３０が、一体的に連続して支点となるように形成され、その左右一組の長尺柄部１０、１０の左右に緩く開く角度がその根元部３０を構成する部材の弾性によって所要の範囲で変化できるように設けられている。
【００１６】
本形態例の根元部３０は、図１に示すように、帯状の曲面を形成して鋭角に折り曲げられた形状となるように一体に設けられており、その部材自体の弾性で左右一組の長尺柄部１０、１０の左右に開く角度が変化できる形態となっている。但し、この根元部３０の形態は、これに限定されるものではなく、例えば、左右一組の長尺柄部１０、１０が別々に設けられ、その後端部同士が軸着されて支点を形成し、その一組の後端部の間にトーションバネ等の弾性部材を介在させる構成とすることで、同等の効果を奏することができる。
【００１７】
そして、吊り下げ用のフック部５０が、根元部３０の上側に連結されて設けられている。
以上の構成を備える靴用ハンガーによれば、ブーツや長靴を含む靴を、簡単に引っ掛けて持ち上げることができ、吊して適切に保持することができる。すなわち、使用者は、腰を深く曲げることなく、靴を掬い取るように引っ掛けて保持でき、靴に直接触れることなく、簡単に吊るすことができる。このように、腰を深く曲げる必要がない状態で使用できることから、腰痛などで動きが制限される者にとっても、便利に使用できる。また、靴を、揃えて好適に吊るすことができるため、スペースを有効に利用して収納できる。そして、左右一組の長尺柄部１０、１０及び各先端掛け部２０、２０は、左右対称に設けられているから、バランスよく一組の靴を吊るすことができる。
【００１８】
また、本形態例では、フック部５０が、左右一組の長尺柄部１０、１０の根元部３０に回動可能に軸着されている。さらに詳細には、根元部３０の中央部であって最上部にあたる部分に貫通孔が設けられ、その貫通孔にフック部５０の下端部が挿通され、そのフック部５０の下端に設けられた抜け止め部によって、フック部５０が抜け出ないように保持されている。フック部５０の下端部が前記貫通孔に遊嵌状態に挿通されているため、そのフック部５０の下端部の軸心を中心に自在に回動できると共に角度も自在に変化できる形態となっている。
【００１９】
なお、本発明にかかるフック部５０の取り付け形態は、これに限定されるものではなく、例えば、根元部３０とフック部５０との間に自在継手を介在させるなど、二つの部材を回動可能に連結する周知の形態を適宜選択的に用いることができる。
【００２０】
また、本形態例では、左右一組の長尺柄部１０、１０、各先端掛け部２０、２０、及び根元部３０が一体に成型されて設けられている。すなわち、樹脂成型や、金属のプレス成型によって、適切に製造することができる。これによれば、大量生産が可能であり、品質を均一化し、製造コストを低減できる。なお、本発明はこれに限定されるものではなく、各部を部品として製造し、適宜に組み立てることで製造することも可能である。
【００２１】
本発明に係る部材の補強構造としては、火挟みやごみトングで用いられているような補強構造、具体的には、帯状部材を巾方向に湾曲させた形状（長手方向に直交する横断面の形状が湾曲した形状）、ビード形状（筋状の凹凸形状）や、リブ形状など、周知の補強構造を適宜選択的に用いることができるのは勿論である。
【００２２】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００２３】
１０  長尺柄部
２０  先端掛け部
３０  根元部
５０  フック部
【図１】
2018033475.tif 000003
【図２】
2018033475.tif 000004